(57)【要約】      （修正有）【課題】開口縁からほつれや糸くずが生じることなく術野の清潔状態を保つことができるとともに、開口縁と開窓部内との段差が少ないサージカルドレープを提供する。【解決手段】平布にて形成したドレープ本体１に開口部４を設け、この開口部４に、端縁がほつれにくく、厚さが０．１ｍｍ以上１．８ｍｍ以下の一枚のシート６を被覆配置し、このシート６に、患者の一方の眼を露出可能とする開窓部３を設け、この開窓部３の開口縁７をほつれにくいものとした。【選択図】図１
0003181523.tif 000002
【実用新案登録請求の範囲】
【請求項１】
平布にて形成したドレープ本体に開口部を設け、この開口部に、端縁がほつれにくく、厚さが0.1mm以上1.8mm以下の一枚のシートを被覆配置し、このシートに、患者の一方の眼を露出可能とする開窓部を設け、この開窓部の開口縁をほつれにくいものとしたことを特徴とするサージカルドレープ。
【請求項２】
上記シートは、シリコンとメッシュ生地とにより形成したことを特徴とする請求項１のサージカルドレープ。
【考案の詳細な説明】
【技術分野】
【０００１】
本考案は、眼科の手術の際に患者に被覆する眼科用のサージカルドレープに関するものである。
【背景技術】
【０００２】
特許文献１に示す如く、眼科用のサージカルドレープは、術野の清潔の保持、患者の血液や体液の飛散による感染防止等のために使用されている。
【０００３】
そしてこの眼科用のサージカルドレープは、術野となる患者の眼を露出するための開窓部を設けており、この開窓部を介して手術を行うものである。ここで、平布にて形成したドレープ本体を円形に切り取って開窓部としたものが存在するが、この場合には、ドレープ本体が平布であるため開窓部の開口縁がほつれたり糸くずが出たりするおそれがある。そのため、術野の清潔状態を維持することが困難となっていた。
【０００４】
そこで、上記のように開窓部の開口縁がほつれたり糸くずが出たりする事態を防ぐために、円形に切り取った開窓部の縁部を折り返す端縁処理を行うことが従来より行われている。このように端縁処理を施すことにより、開口縁に平布の端縁が位置しなくなるため、ほつれや糸くずの発生を抑制することが可能となる。
【先行技術文献】
【特許文献】
【０００５】
【特許文献１】実公昭６１−３３９３１号公報
【考案の開示】
【考案が解決しようとする課題】
【０００６】
しかしながら、上記の如く端縁処理を行った場合には、開窓部の開口縁において布が二重に重ねられた状態となるため、開口縁が術野の表面よりも嵩高くなる。よって、この嵩高い開口縁と開窓部内の術野表面との間に大きな段差が生じるものとなる。そのため、手術中に開窓部内の術野で使用している器具を開窓部の外に移動させる際等に、この器具が開口縁に引っ掛かる等して手術に支障をきたすおそれがあった。
【０００７】
そこで、本考案は上述の如き課題を解決しようとするものであって、開窓部の開口縁からほつれや糸くずが生じることなく術野の清潔状態を保つことができるとともに、開口縁と開窓部内の術野表面との段差が小さいサージカルドレープを得ようとするものである。
【課題を解決するための手段】
【０００８】
本考案は上述の如き課題を解決するため、平布にて形成したドレープ本体に開口部を設け、この開口部に、端縁がほつれにくく、厚さが0.1mm以上1.8mm以下の一枚のシートを被覆配置し、このシートに、患者の一方の眼を露出可能とする開窓部を設け、開窓部の開口縁をほつれにくくしたものである。尚、厚さが1.8mmより大きくなると、開窓部内の術野表面と開口縁との間に大きな段差が生じ、開窓部内で使用している器具が開口縁に引っ掛かる等の不都合が生じ易いものとなる。
【０００９】
また、上記シートは、シリコンとメッシュ生地とにより形成したものであっても良い。
【考案の効果】
【００１０】
本考案は上述の如く構成したものであって、開窓部を端縁がほつれにくいシートに形成することにより、この開窓部の開口縁から糸くずやほこりが生じにくいものとなり、術野の清潔を良好に保つことができる。また、開窓部の開口縁を、厚さが0.1mm以上1.8mm以下の一枚のシートにて形成することにより、開窓部の開口縁と開窓部内の術野表面との間に大きな段差が生じにくいものとなる。そのため、手術中に術野となる開窓部内で使用する器具を術野から開窓部外に移動させる際等には、開口縁に引っ掛かる等の事態が生じにくいものとなり手術を円滑に進めることができる。
【図面の簡単な説明】
【００１１】
【図１】本考案の実施例１を示す平面図。
【図２】図１の部分拡大断面図。
【図３】実施例１の使用状態を示す平面図。
【実施例１】
【００１２】
本考案の実施例１について説明すると、図１に示す如く(１)は眼科手術用サージカルドレープのドレープ本体(1)であって、平布にて形成したものである。そしてこのドレープ本体(1)の中央部には、患者(2)の一方の眼を露出可能とする、楕円形の開窓部(3)を設けている。
【００１３】
本実施例について更に詳細に説明すると、平布にて形成したドレープ本体(1)の中央部には、図１の点線にて示す如く略正方形の開口部(4)を設けている。また上記開口部(4)の外周には、ドレープ本体(1)の表面(14)側に、以下で説明する外周フラップ(5)を固定配置している。
【００１４】
またこの開口部(4)には、外周フラップ(5)を配置した表面(14)側に、図１、２に示す如く楕円形の開窓部(3)を設けた一枚のシート(6)を被覆配置している。即ち、楕円形の開窓部(3)を開口部(4)の中央に配置するとともに、上記シート(6)の裏面を開口部(4)に被覆し固定している。これにより、開窓部(3)がドレープ本体(1)の中央部に配置されるものとなる。
【００１５】
尚、上記開窓部(3)は患者(2)の一方の眼全体を露出可能とする大きさとしている。また、上記シート(6)はシリコンとメッシュ生地とにより形成したものであって、端縁がほつれにくく、更に防水性、耐熱性、及び耐圧性を備えたものである。このように端縁がほつれにくい材料を用いることにより、シート(6)に直接穴をあけて開窓部(3)とした場合でも、この開窓部(3)の開口縁(7)がほつれたり糸くずが生じたりしにくいものとなる。従って、開窓部(3)内の術野の清潔を良好に保つことができる。
【００１６】
また防水性であることから、シート上に付着した液体が患者側に浸透しないものとなるため、呼吸している患者の口や鼻等に液体が入るという事態を防止することが可能となり、感染のリスクを減らすことができる。更に、耐熱性、及び耐圧性を備えていることから、高温高圧滅菌洗浄を施すことができるため、繰り返しの使用が可能となり経済的である。
【００１７】
尚、本実施例では上記の如く、シート(6)をシリコンとメッシュ生地とにより形成しているが、他の異なる実施例ではこれに限らず、端縁がほつれにくいシート(6)であれば他の材料にて形成したものであっても良い。  
【００１８】
また上記の如く、開窓部(3)を厚さが0.1mm以上1.8mm以下の一枚のシート(6)にて形成していることから、この開窓部(3)の開口縁(7)と開窓部(3)内の術野表面(15)との間に大きな段差が生じにくいものとなる。従って、開窓部(3)内で使用する器具を術野から開窓部(3)の外に移動する際に、開口縁(7)に引っ掛かる等の事態が生じにくいものとなり、手術を円滑に行うことができる。
【００１９】
次に、上記の如く開口部(4)の外周に配置した外周フラップ(5)について説明する。尚、以下に記載する上下左右方向は、図１、３の上下左右方向に対応させたものとしている。この外周フラップ(5)は、図１に示す上端縁(8)及び開口部(4)の外周縁(10)をドレープ本体(1)に縫い付けるとともに、下端側及び開口部(4)の両側をドレープ本体(1)と分離した自由端としている。
【００２０】
そして図１に示す如く、外周フラップ(5)にはスナップ(11)を間隔を設けて複数個配置し、これらのスナップ(11)を相互に留めることにより図３に示す如く開窓部(3)の下及び両側にそれぞれ下方ポケット(12)、及び側方ポケット(13)が形成される。そのため、開窓部(3)から流出した洗浄液、血液、体液を上記ポケット(12)(13)で受け止めることが可能となり、洗浄液、血液、体液の床面への流出を抑えて汚染を防止することができる。
【００２１】
そして、上記の如く構成した本実施例のサージカルドレープを使用する場合には、まず外周フラップ(5)の各スナップ(11)を留めて側方ポケット(13)及び下方ポケット(12)をそれぞれ形成する。そして図３に示す如く、術野となる患者(2)の左眼の外側に下方ポケット(12)を配置した状態で、開窓部(3)内に患者(2)の左目が位置するよう配置する。
【００２２】
そして、上記の如く患者(2)の左目に配置した開窓部(3)が移動してずれないよう、開窓部(3)の裏面外周を患者(2)の左目外周に滅菌済みの両面テープにて固定する。これにより、本実施例のサージカルドレープのドレーピングが完了する。尚、患者(2)の右目が術野となる場合は、患者(2)の右眼の外側に下方ポケット(12)を配置した状態で開窓部(3)に患者(2)の右眼が位置するよう配置するものである。
【符号の説明】
【００２３】
１  ドレープ本体
２  患者
３  開窓部
４  開口部
６  シート
７  開口縁       
【図１】
0003181523.tif 000003
【図２】
0003181523.tif 000004
【図３】
0003181523.tif 000005
【手続補正書】
【提出日】平成24年12月4日(2012.12.4)
【手続補正１】
【補正対象書類名】実用新案登録請求の範囲
【補正対象項目名】全文
【補正方法】変更
【補正の内容】
【実用新案登録請求の範囲】
【請求項１】
平布にて形成したドレープ本体に開口部を設け、この開口部に、シリコンとメッシュ生地とにより形成することにより端縁がほつれにくく、厚さが0.1mm以上1.8mm以下の一枚のシートを被覆配置し、このシートに、患者の一方の眼を露出可能とする開窓部を設け、この開窓部の開口縁をほつれにくいものとしたことを特徴とするサージカルドレープ。
【手続補正２】
【補正対象書類名】明細書
【補正対象項目名】０００９
【補正方法】変更
【補正の内容】
【０００９】
また、上記シートは、シリコンとメッシュ生地とにより形成したものである。